【事件の表示】
　平成１０年特許願第３７４１６１号「非接触ＩＣカード処理装置」拒絶査定不服審判事件〔平成１２年　７月１４日出願公開、特開２０００−１９４８０４〕について、次のとおり審決する。
【結　論】
　本件審判の請求は、成り立たない。
【理　由】
第１．手続の経緯
　本願は、平成１０年１２月２８日の出願であって、平成１８年１１月２１日付けで拒絶理由通知がなされ、平成１９年１月２９日付けで手続補正がなされ、同年２月１６日付けで最後の拒絶理由通知がなされ、同年４月２３日付けで手続補正がなされたが、同年６月２１日付けで、前記同年４月２３日付けでなされた手続補正が補正却下されるとともに拒絶査定がなされ、これに対し、同年７月２６日付けで審判請求がなされたが、平成２１年５月１日付けで当審より最後の拒絶理由通知がなされ、同年７月３日付けで手続補正がなされたものである。
　
　
第２．平成１９年６月２１日付けでした補正却下の決定の取り消し
［結論］
　平成１９年６月２１日付けでした補正却下の決定は取り消す。
　
［理由］
　前記平成１９年６月２１日付けでした補正却下の決定は、平成１９年２月１６日付けでなされた最後の拒絶理由通知に対する補正である平成１９年４月２３日付けでなされた手続補正が、特許法第１７条の２第４項の各号に掲げるいずれの事項を目的とするものにも該当せず同法第１７条の２第４項の規定に違反していることを理由として、同法第５３条第１項の規定により却下したものである。
　しかしながら、前記平成１９年２月１６日付けでなされた最後の拒絶理由通知には、最後の拒絶理由通知であるとした理由が記載されていない。したがって、前記平成１９年２月１６日付けでなされた拒絶理由通知は「最後の拒絶理由通知」として取り扱うことができない。
　そして、前記平成１９年２月１６日付けでなされた拒絶理由通知が「最後の拒絶理由通知」として取り扱うことができないものであるから、当該拒絶理由通知に対する補正である平成１９年４月２３日付けでなされた手続補正については、特許法第１７条の２第４項の規定は適用することができない。
　よって、平成１９年６月２１日付けでした補正却下の決定は、取り消すべきものである。
　
　
第３．平成２１年７月３日付けの手続補正についての補正却下の決定
［補正却下の決定の結論］
　平成２１年７月３日付けの手続補正を却下する。
　
［理由］
１．本件補正
　上述のとおり、平成１９年６月２１日付けでした補正却下の決定は取り消された。
　したがって、平成２１年７月３日付けの手続補正（以下、「本件補正」という）は、平成１９年４月２３日付けの手続補正により補正された特許請求の範囲の記載
「【請求項１】
　目視データを表示する表示部を備えた非接触ＩＣカードを処理する非接触ＩＣカード処理装置であって、
　カードの挿入・返却口から挿入された前記非接触ＩＣカードを搬送経路に沿って搬送する搬送手段と、
　前記搬送経路上の非接触ＩＣカードに対して、該非接触ＩＣカードの内部に記憶された記憶データの処理を非接触で行い、その処理後の記憶データの内容を出力する記憶データ処理手段と、
　前記搬送経路上の非接触ＩＣカードに対して、該非接触ＩＣカードの表示部に、前記記憶データ処理手段から出力される前記処理後の記憶データの内容に応じた目視データを表示させる処理を行う目視データ処理手段と、を備え、
　前記記憶データ処理手段及び前記目視データ処理手段は、前記搬送経路に沿ってそれぞれ配置され、
　前記搬送手段は、前記非接触ＩＣカードの位置に応じて搬送方向を制御する搬送制御部を有し、該搬送制御部によって、前記非接触ＩＣカードが前記記憶データ処理手段で処理された後に前記目視データ処理手段で処理されるように搬送方向が制御される構成とされ、
　かつ目視データ処理手段による目視データの表示処理の終了後、挿入された当該非接触ＩＣカードに対する記憶データ及び目視データの各処理が終了したことを判断し、当該非接触ＩＣカードをカード挿入・返却口に向けて、前記記憶データの処理を再度行うことなく搬送する構成とされたことを特徴とする非接触ＩＣカード処理装置。
　【請求項２】
　前記非接触ＩＣカードの表示部は、目視データの書き替えが可能であり、
　前記目視データ処理手段は、前記表示部に表示された目視データの書き替え処理が可能であることを特徴とする請求項１記載の非接触ＩＣカード処理装置。
　【請求項３】
　前記非接触ＩＣカードの表示部が、熱エネルギーに感応して可逆的に状態が変化する感熱層を有し、
　前記目視データ処理手段が、前記感熱層に対し目視データに従って熱エネルギーを与えるサーマルヘッドを備えたことを特徴とする請求項２記載の非接触ＩＣカード処理装置。
　【請求項４】
　前記搬送手段による搬送が終了した非接触ＩＣカードを回収するカード回収手段を備えて構成されたことを特徴とする請求項１〜３のいずれか１つに記載の非接触ＩＣカード処理装置。
　【請求項５】
　発行前の非接触ＩＣカードを前記搬送手段に供給するカード供給手段を備えて構成されたことを特徴とする請求項１〜４のいずれか１つに記載の非接触ＩＣカード処理装置。」（以下、この特許請求の範囲に記載された請求項を「補正前の請求項」という）
　
を、
　
「【請求項１】
　目視データを表示する表示部を備えた非接触ＩＣカードを処理する非接触ＩＣカード処理装置であって、
　カードの挿入・返却口から挿入された前記非接触ＩＣカードを搬送経路に沿って搬送する搬送手段と、
　前記搬送経路上の非接触ＩＣカードに対して、該非接触ＩＣカードの内部に記憶された記憶データの処理を非接触で行い、その処理後の記憶データの内容を出力する記憶データ処理手段と、
　前記搬送経路上の非接触ＩＣカードに対して、該非接触ＩＣカードの表示部に、前記記憶データ処理手段から出力される前記処理後の記憶データの内容に応じた目視データを表示させる処理を行う目視データ処理手段と、を備え、
　前記記憶データ処理手段及び前記目視データ処理手段は、前記搬送経路に沿ってそれぞれ配置され、
　前記搬送手段は、前記搬送経路に沿ってそれぞれ配置され、前記搬送手段により搬送される前記非接触ＩＣカードの位置を検出する複数の位置検出用センサと、該各位置検出用センサにより検出される前記非接触ＩＣカードの位置に応じて搬送方向を制御する搬送制御部と、を有し、該搬送制御部によって、前記非接触ＩＣカードが前記記憶データ処理手段で処理された後に前記目視データ処理手段で処理されるように搬送方向が制御される構成とされ、
　かつ目視データ処理手段による目視データの表示処理の終了後、挿入された当該非接触ＩＣカードに対する記憶データ及び目視データの各処理が終了したことを、前記目視データ処理手段に対して前記記憶データ処理手段とは反対側に配置された前記位置検出用センサによる当該非接触ＩＣカードの位置検出結果に基づき判断し、当該非接触ＩＣカードをカード挿入・返却口に向けて、前記記憶データの処理を再度行うことなく搬送する構成とされたことを特徴とする非接触ＩＣカード処理装置。
　【請求項２】
　前記非接触ＩＣカードの表示部は、目視データの書き替えが可能であり、
　前記目視データ処理手段は、前記表示部に表示された目視データの書き替え処理が可能であることを特徴とする請求項１記載の非接触ＩＣカード処理装置。
　【請求項３】
　前記非接触ＩＣカードの表示部が、熱エネルギーに感応して可逆的に状態が変化する感熱層を有し、
　前記目視データ処理手段が、前記感熱層に対し目視データに従って熱エネルギーを与えるサーマルヘッドを備えたことを特徴とする請求項２記載の非接触ＩＣカード処理装置。
　【請求項４】
　前記搬送手段による搬送が終了した非接触ＩＣカードを回収するカード回収手段を備えて構成されたことを特徴とする請求項１〜３のいずれか１つに記載の非接触ＩＣカード処理装置。
　【請求項５】
　発行前の非接触ＩＣカードを前記搬送手段に供給するカード供給手段を備えて構成されたことを特徴とする請求項１〜４のいずれか１つに記載の非接触ＩＣカード処理装置。」（以下、この特許請求の範囲に記載された請求項を「補正後の請求項」という）
に補正するものである。
　
２．補正の適否
（１）特許法第１７条の２第４項の規定に適合するかについての検討
　補正前の請求項と補正後の請求項の、それぞれの対応関係は次のとおりである。
　　　　　　　　　　補正前の請求項　　　補正後の請求項
　　　　　　　　　　　　　１　　　　→　　　　１
　　　　　　　　　　　　　２　　　　→　　　　２
　　　　　　　　　　　　　３　　　　→　　　　３
　　　　　　　　　　　　　４　　　　→　　　　４
　　　　　　　　　　　　　５　　　　→　　　　５
　したがって、本件補正は、特許法第１７条の２第４項第１号の請求項の削除に該当するものではない。
　
　以下、請求項１についてする本件補正が、特許法第１７条の２第４項第２号に規定する特許請求の範囲の減縮に該当するかどうか、検討する。
　
　前記請求項１についてする本件補正は、
「前記搬送経路に沿ってそれぞれ配置され、前記搬送手段により搬送される前記非接触ＩＣカードの位置を検出する複数の位置検出用センサ」の記載を追加するともに、
　前記非接触ＩＣカードの位置が「該各位置検出用センサにより検出される」ものであるとし、
　記憶データ及び目視データの各処理が終了したことの判断を「前記目視データ処理手段に対して前記記憶データ処理手段とは反対側に配置された前記位置検出用センサによる当該非接触ＩＣカードの位置検出結果に基づき」行うとする、
ものである。
　
　しかしながら、前記「前記搬送経路に沿ってそれぞれ配置され、前記搬送手段により搬送される前記非接触ＩＣカードの位置を検出する複数の位置検出用センサ」は、補正前の請求項１には記載がなく新たに追加されたものであり、補正前の請求項１に記載された発明の発明特定事項のいずれかを概念的に下位にするものではない。
　よって、前記「前記搬送経路に沿ってそれぞれ配置され、前記搬送手段により搬送される前記非接触ＩＣカードの位置を検出する複数の位置検出用センサ」の記載を追加する補正は、発明特定事項の限定とはいえない。
　
　また、補正前の請求項１に係る発明の解決しようとする課題は、非接触ＩＣカードに対する記憶データ及び目視データの各処理が終了した後に、非接触ＩＣカードの搬送方向を搬送制御部により切り替え、非接触ＩＣカードをカード挿入・返却口に向けて、記憶データの処理を再度行うことなく搬送するようにしたことで、記憶データ及び目視データの食い違いを確実に防止しながら非接触ＩＣカードを利用者へ確実に返却する、というものであった。
　しかしながら、前記請求項１についてする本件補正により、補正後の請求項１に係る発明は、各処理の終了のより確実な判断を可能にする、非接触ＩＣカードの位置検出を容易にし検出精度を高める、という新たな課題を有することとなった。
　そして、この、各処理の終了のより確実な判断を可能にする、非接触ＩＣカードの位置検出を容易にし検出精度を高める、という新たな課題は、補正前の請求項１に係る発明の解決しようとする前記課題を概念的に下位にしたものではなく、同一のものでもない。
　
　以上のように、前記請求項１についてする本件補正は、特許法第１７条の２第４項第２号の特許請求の範囲の減縮（請求項に記載した発明を特定するために必要な事項を限定するものであって、その補正前の当該請求項に記載された発明とその補正後の請求項に記載された発明の産業上の利用分野および解決しようとする課題が同一であるものに限る。）を目的とするものとは認められない。
　
　そして、前記請求項１についてする本件補正が、特許法第１７条の２第４項第３号の誤記の訂正に該当するものでないことは明らかである。さらに、特許法第１７条の２第４項第４号の明りょうでない記載の釈明（拒絶理由通知に係る拒絶の理由に示す事項についてするものに限る。）に該当するものとも認められない。したがって、前記請求項１についてする補正は、特許法第１７条の２第４項の各号に掲げるいずれの事項を目的とするものにも該当しない。
　
　以上のとおりであるから、本件補正は、特許法第１７条の２第４項の規定に違反するものである。 
　
（２）特許法第１７条の２第５項の規定に適合するかについての検討
　仮に、前記請求項１についてする本件補正が、特許法第１７条の２第４項第２号の特許請求の範囲の減縮（請求項に記載した発明を特定するために必要な事項を限定するものであって、その補正前の当該請求項に記載された発明とその補正後の請求項に記載された発明の産業上の利用分野および解決しようとする課題が同一であるものに限る。）を目的とするものであるとした場合に、補正後の請求項１に係る発明（以下、「補正後の発明」という）が特許出願の際独立して特許を受けることができるものであるか、以下に検討する。
　
　１）補正後の発明
　本件補正により、前記補正後の発明は、前記「１．本件補正」の補正後の請求項１に記載されたとおりのものと認められる。
　
　２）引用発明
　これに対して、平成２１年５月１日付けでした当審よりの最後の拒絶理由通知に引用された特開平０７−０９３４９４号公報（以下、「引用文献」という）には、図面とともに次の事項が記載されている。（備考：下線は便宜上当審で付したものである。以下、同様。）
　
 Ａ．「【０００５】 
 【発明が解決しようとする課題】そのためカード発行は手間がかかるだけでなく、
ＩＣメモリに入力されたデータと感熱記録されたデータとの対応付けができず、人が二つの書換え装置間でカードの運搬をする等関与しなければならないため、しばしば誤ったデータを書き込むこととなった。
本発明が解決しようとする課題はＩＣメモリに入力されたデータと感熱記録されたデータとの対応付けに人が関与する必要がなく自動で行われるため、対応付けの誤りの生じないカード発行機を提供することにある
【０００６】
【課題を解決するための手段】
上記目的は
感熱記録部分のデータ書換えとＩＣメモリのデータ書換えを同一機の連続動作で行えるように構成したカード発行機によって達成される
 　 
Ｂ．「【０００８】 
 【実施例】以下好適な実施例に基づいて本発明を説明する。図１は、本発明のカード発行機で発行するカードの一例を示す図である。図１において
１はカード本体、２は感熱記録部分である。
このカード本体は非接触ＩＣカードである。
【０００９】また、
感熱記録部２は受熱温度履歴によって光透過状態を変化させ可視情報を書き込みあるいは消去可能な熱可逆性感熱記録媒体
 　 
Ｃ．「【００１５】カードフィーダー部４からカード搬送部５に供給されたカードは搬送ベルトによってサーマル消去部８まで搬送されて、一旦停止する。そして、サーマル消去部８においてカードの感熱記録部分２は加熱され、そこに記録された可視データは消去される。そのときの感熱記録部分は例えば８５℃前後にまで加熱される。シーケンシャルタイマーの動作によって
消去に必要な時間停止した後、再び搬送ベルトが駆動されて、カードは非接触ＩＣカードリーダーライター部９へと搬送される。
 【００１６】この例においては、
非接触ＩＣカードリーダライタ部９とサーマル印字部１０とは、同一の搬送機構上にあり
感熱記録部分２へのサーマル印字と、カードのＩＣメモリへ非接触で行われるリードライトは同時進行できる
非接触ＩＣカードリーダーライター部９をサーマル消去部８の近くに設置してカードが停止している間にリードライトすることも可能である。
 【００１７】
カードが搬送され、サーマル印字部の所定位置に到達したことを搬送機構に設置されたセンサー（図示せず）が検知する
サーマル印字部１０のサーマルヘッドがカードに密着され、搬送されるカードに所定の可視データが記録される。
非接触ＩＣカードリーダーライター部９のアンテナとカードに内蔵されたアンテナとの間で電磁波が交信され、所定のデータの書込みが行われ、さらに書込んだデータの読取りチェックが行われる。
 【００１８】サーマルヘッドによる印字が終了すると、移動速度は１６ｍｍ／秒から２５０ｍｍ／秒に加速され、カードリジェクト部６にカードが搬送される。カードリジェクト部６においては、非接触ＩＣカードリーダーライター部９によってチェックされた、書込んだデータの読取りチェックの結果が不良であったカードを排出する。排出された不良カードは発行機内にある収納ケースに収納される。 
 【００１９】この例では、カードの検査は、ＩＣメモリに書込んだデータの読取りチェックだけを挙げてある…（中略）…
 【００２０】
検査の結果良品と判定されたカードはカードリジェクト部６を通過してカードスタッカ７に積み重ねられる。
 　
Ｄ．「【００２２】
制御部１５がカード発行機の全体を制御する
カードの搬送位置をセンサにて検出してカードの搬送を制御することも可能である。その場合は、カードが所定位置に搬送されたことをセンサが検出するとセンサの信号が制御部１５に送られ、それを受けた制御部１５によってモータの駆動がＯＦＦとなりカード搬送が停止される。
　
Ｅ．カード発行機の内部構造を示した図２には、カードフィーダー部４からカード搬送部５に供給された非接触ＩＣカードが、図示直線状の搬送経路に沿って搬送されて、カード発行機の外部のカードスタッカ７に排出されることが図示されている。 
 　 
 　 
　Ｂの「本発明のカード発行機で発行するカードの一例を示す図である。図１において１はカード本体、２は感熱記録部分である。」、「このカード本体は非接触ＩＣカードである」及び「感熱記録部２は受熱温度履歴によって光透過状態を変化させ可視情報を書き込みあるいは消去可能な熱可逆性感熱記録媒体であり」から、引用文献には、
　受熱温度履歴によって光透過状態を変化させ可視情報を書き込む感熱記録部を備えた非接触ＩＣカードを発行する非接触ＩＣカード発行機、
が記載されている。
　
　Ｃの「カードフィーダー部４からカード搬送部５に供給されたカードは搬送ベルトによってサーマル消去部８まで搬送されて」、「非接触ＩＣカードリーダライタ部９とサーマル印字部１０とは、同一の搬送機構上にあり、この搬送機構はサーマル消去部８におけるカードの搬送機構とは別駆動され独立した搬送機構となっている。」、及び、Ｅの図示態様から、カードフィーダー部４から供給された非接触ＩＣカードは、カード搬送部５により、サーマル消去部８、非接触ＩＣカードリーダライタ部９、サーマル印字部１０、カードリジェクト部６の順番で、それぞれに対向する搬送経路に沿って搬送した後、スタッカ７に排出されることが記載されている。
したがって、引用文献には、
　前記非接触ＩＣカード発行機が、カードフィーダー部から供給された非接触ＩＣカードを搬送経路に沿って搬送するカード搬送部、
を備えることが記載されている。
　
　Ｃの「非接触ＩＣカードリーダーライター部９のアンテナとカードに内蔵されたアンテナとの間で電磁波が交信され、所定のデータの書込みが行われ、さらに書込んだデータの読取りチェックが行われる。」、「カードは非接触ＩＣカードリーダーライター部９へと搬送される」から、
　前記非接触ＩＣカード発行機は、搬送される非接触ＩＣカードに対して、該非接触ＩＣカードへのデータの書込み及び該書込んだデータの読取りチェックを電磁波の交信によって行う非接触ＩＣカードリーダーライター部、
を備えていると解される。
　
　Ｃの「サーマル印字部１０のサーマルヘッドがカードに密着され、搬送されるカードに所定の可視データが記録される。」から、前記非接触ＩＣカード発行機が備えるサーマル印字部は、搬送される非接触ＩＣカードに対して、該非接触ＩＣカードの感熱記録部に可視データを記録するものである。
　そして、Ａの「本発明が解決しようとする課題はＩＣメモリに入力されたデータと感熱記録されたデータとの対応付け…（中略）…の誤りの生じないカード発行機を提供することにある」の記載から、サーマル印字部により記録される可視データは、非接触ＩＣカードのＩＣメモリに入力されたデータ、すなわち、前記非接触ＩＣカードリーダーライター部が書込み、読取るデータに対応付けられたデータであると解される。 
　してみれば、
　前記非接触ＩＣカード発行機は、搬送される非接触ＩＣカードに対して、該非接触ＩＣカードの感熱記録部に、前記非接触ＩＣカードリーダーライター部が書込み、読取るデータに対応付けられた可視データを記録するサーマル印字部、
を備えていると解される。
　
　Ｃ、Ｅから、非接触ＩＣカードリーダーライター部とサーマル印字部は、搬送経路に沿ってそれぞれ配置されていること、が記載されている。
　
　Ｃの「カードは搬送ベルトによってサーマル消去部８まで搬送されて…（中略）…消去に必要な時間停止した後、再び搬送ベルトが駆動されて、カードは非接触ＩＣカードリーダーライター部９へと搬送される。」、「非接触ＩＣカードリーダーライター部９をサーマル消去部８の近くに設置してカードが停止している間にリードライトすることも可能である。」及び「カードが搬送され、サーマル印字部の所定位置に到達し…（中略）…搬送されるカードに所定の可視データが記録される。」の各記載は、非接触ＩＣカードを搬送ベルトによってサーマル消去部まで搬送して可視データの消去のために搬送を停止している間に非接触ＩＣカードリーダーライター部による処理を行い、その後、サーマル印字部の所定位置まで搬送して記録を行うことを意味すると解される。そして、前記非接触ＩＣカードリーダーライター部による処理とは、前述のとおり、非接触ＩＣカードへのデータの書込み及び該書込んだデータの読取りチェックの処理を意味することは明らかである。
　したがって、引用文献には、非接触ＩＣカード発行機が備えるカード搬送部によって、非接触ＩＣカードが非接触ＩＣカードリーダーライター部でデータの書込み及び該書込んだデータの読取りチェックが行われた後にサーマル印字部で記録が行われるように搬送が制御される、ことが記載されていると解される。
　また、Ｃの「カードが搬送され、サーマル印字部の所定位置に到達したことを搬送機構に設置されたセンサー（図示せず）が検知すると、移動速度は２５０ｍｍ／秒から１６ｍｍ／秒に減速され、サーマル印字部１０のサーマルヘッドがカードに密着され」、Ｄの「制御部１５がカード発行機の全体を制御する…（中略）…制御部１５からは搬送速度、搬送距離等のデータと搬送開始指令がカード搬送部５に送られる…（中略）…カードの搬送位置をセンサにて検出してカードの搬送を制御することも可能である。その場合は、カードが所定位置に搬送されたことをセンサが検出するとセンサの信号が制御部１５に送られ、それを受けた制御部１５によってモータの駆動がＯＦＦとなりカード搬送が停止される。そして、次の動作へ移る。このような動作はシーケンス制御として周知である」から、カード搬送部は、該カード搬送部の搬送機構に設置され、該カード搬送部によって搬送される非接触ＩＣカードの搬送位置を検出するセンサと、該センサにより検出される前記非接触ＩＣカードの搬送位置に応じて搬送を制御する制御部と、を有することが記載されている。
　そして、前記非接触ＩＣカードリーダーライター部でデータの書込み及び該書込んだデータの読取りチェックが行われた後にサーマル印字部で記録が行われる、というカード搬送部による搬送は、前記制御部が制御することは明らかである。
　したがって、
　前記カード搬送部は、該カード搬送部の搬送機構に設置され、該カード搬送部によって搬送される非接触ＩＣカードの搬送位置を検出するセンサと、該センサにより検出される前記非接触ＩＣカードの搬送位置に応じて搬送を制御する制御部と、を有し、該制御部によって、非接触ＩＣカードが非接触ＩＣカードリーダーライター部でデータの書込み及び該書込んだデータの読取りチェックが行われた後にサーマル印字部で記録が行われるように搬送が制御される構成とされている、
と解される。
　
　Ｃの「検査の結果良品と判定されたカードはカードリジェクト部６を通過してカードスタッカ７に積み重ねられる。」、Ｅのカードスタッカ７がカード発行機の外部に設けられているとの図示態様から、非接触ＩＣカード発行機は、非接触ＩＣカードを外部に排出する排出口を有することは明らかである。そして、Ｃの「検査の結果良品と判定されたカードはカードリジェクト部６を通過してカードスタッカ７に積み重ねられる。」から、良品と判定された非接触ＩＣカードは、カードスタッカ７に積み重ねるため、前記排出口に向けて搬送されることは明らかである。
　また、前記「検査」は、Ｃの「カードの検査は、ＩＣメモリに書込んだデータの読取りチェックだけを挙げてある」から、非接触ＩＣカードリーダーライター部が行う、書込んだデータの読取りチェックを指している。
　してみれば、Ｃの「サーマルヘッドによる印字が終了すると、移動速度は１６ｍｍ／秒から２５０ｍｍ／秒に加速され、カードリジェクト部６にカードが搬送される。カードリジェクト部６においては、非接触ＩＣカードリーダーライター部９によってチェックされた、書込んだデータの読取りチェックの結果が不良であったカードを排出する。…（中略）…検査の結果良品と判定されたカードはカードリジェクト部６を通過してカードスタッカ７に積み重ねられる。」から、
　前記カード搬送部は、サーマル印字部で記録が終了すると、非接触ＩＣカードリーダーライター部が書込んだデータの読取りチェックの結果良品と判定された非接触ＩＣカードを排出口に向けて搬送する
ことが記載されている。
 　 
 　以上から、引用文献には、次の発明（以下、「引用発明」という。）が記載されているものと認められる。
 　 
　受熱温度履歴によって光透過状態を変化させ可視情報を書き込む感熱記録部を備えた非接触ＩＣカードを発行する非接触ＩＣカード発行機であって、
　カードフィーダー部から供給された前記非接触ＩＣカードを搬送経路に沿って搬送するカード搬送部と、
　搬送される前記非接触ＩＣカードに対して、該非接触ＩＣカードへのデータの書込み及び該書込んだデータの読取りチェックを電磁波の交信によって行う非接触ＩＣカードリーダーライター部と、
　搬送される前記非接触ＩＣカードに対して、該非接触ＩＣカードの感熱記録部に、前記非接触ＩＣカードリーダーライター部が書込み、読取るデータに対応付けられた可視データを記録するサーマル印字部と、を備え、
　前記非接触ＩＣカードリーダーライター部と前記サーマル印字部は、前記搬送経路に沿ってそれぞれ配置され、
　前記カード搬送部は、該カード搬送部の搬送機構に設置され、該カード搬送部によって搬送される前記非接触ＩＣカードの搬送位置を検出するセンサと、該センサにより検出される前記非接触ＩＣカードの搬送位置に応じて搬送を制御する制御部と、を有し、該制御部によって、前記非接触ＩＣカードが前記非接触ＩＣカードリーダーライター部でデータの書込み及び該書込んだデータの読取りチェックが行われた後に前記サーマル印字部で記録が行われるように搬送が制御される構成とされ、
　かつ、前記サーマル印字部で記録が終了すると、前記非接触ＩＣカードリーダーライター部が書込んだデータの読取りチェックの結果良品と判定された前記非接触ＩＣカードを排出口に向けて搬送する構成とされた、
ことを特徴とする非接触ＩＣカード発行機。
　
　
　３）対比
　補正後の発明と引用発明とを対比する。
　
　引用発明の「可視情報」は、補正後の発明の「目視データ」に相当する。したがって、引用発明の「受熱温度履歴によって光透過状態を変化させ可視情報を書き込む感熱記録部」は、補正後の発明の「目視データを表示する表示部」に相当する。
　
　引用発明の「カードフィーダー部から供給」することと、補正後の発明の「カードの挿入・返却口から挿入」することとは、非接触ＩＣカードの供給手段から供給する点で共通する。したがって、引用発明の「カード搬送部」と補正後の発明の「搬送手段」とは、非接触ＩＣカードの供給手段から供給された非接触ＩＣカードを搬送経路に沿って搬送する搬送部である点で共通する。
　
　引用発明における「搬送される前記非接触ＩＣカード」は、搬送経路に沿って搬送される非接触ＩＣカードであるから、補正後の発明における「前記搬送経路上の非接触ＩＣカード」に相当する。
　また、引用発明の「該非接触ＩＣカードへのデータの書込み及び該書込んだデータの読取りチェック」とは、非接触ＩＣカードの内部へデータを書込み、該書込んだデータを読取り、該読取ったデータをチェックする、という処理を意味している。すなわち、引用発明において「該非接触ＩＣカードへのデータの書込み及び該書込んだデータの読取りチェック」するとき、必ず、非接触ＩＣカードへのデータの書込み及び該書込んだデータの読取りの処理は行うものである。
　これに対して、本願明細書の段落【００３５】に「第１の実施形態によれば、Ｒ／Ｗ処理部２０及び印字処理部３０を１つの装置内に設け、搬送部１０によって搬送される非接触ＩＣカード２に対して、記憶データのＲ／Ｗ処理及び目視データの表示処理を順次行うようにしたことで、従来の「かざし型」の場合のように記憶データの処理中に非接触ＩＣカードが取り去られてしまうようなことがなくなるため、記憶データの読み取りだけでなく、書き込みや確認までの一連のデータ処理を確実に行うことができる。また、記憶データのＲ／Ｗ処理及び目視データの表示処理が同一の装置内で行われるため、記憶データと目視データの食い違いを防ぐことができる。」と記載されているから、前記「第１の実施形態」においては、補正後の発明の「該非接触ＩＣカードの内部に記憶された記憶データの処理」とは前記「記憶データのＲ／Ｗ処理」を意味していることは明らかである。
　したがって、引用発明の「該非接触ＩＣカードへのデータの書込み及び該書込んだデータの読取りチェック」と、補正後の発明の「該非接触ＩＣカードの内部に記憶された記憶データの処理」とは、非接触ＩＣカードの内部に記憶された記憶データの処理を行う点で共通する。
　そして、引用発明において「電磁波の交信によって行う」ことは、補正後の発明の「非接触で行」うことに相当する。
　してみれば、引用発明の「非接触ＩＣカードリーダーライター部」と、本願発明の「記憶データ処理手段」とは、搬送経路上の非接触ＩＣカードに対して、該非接触ＩＣカードの内部に記憶された記憶データの処理を非接触で行う記憶データ処理部である点で共通する。
　
　引用発明における、前記非接触ＩＣカードリーダーライター部が「書込み、読取るデータに対応付けられた可視データ」は、補正後の発明における「前記処理後の記憶データの内容に応じた目視データ」に相当する。
　してみれば、引用発明の「搬送される前記非接触ＩＣカードに対して、該非接触ＩＣカードの感熱記録部に、前記非接触ＩＣカードリーダーライター部が書込み、読取るデータに対応付けられた可視データを記録するサーマル印字部」と、補正後の発明の「前記搬送経路上の非接触ＩＣカードに対して、該非接触ＩＣカードの表示部に、前記記憶データ処理手段から出力される前記処理後の記憶データの内容に応じた目視データを表示させる処理を行う目視データ処理手段」とは、前記搬送経路上の非接触ＩＣカードに対して、該非接触ＩＣカードの表示部に、前記処理後の記憶データの内容に応じた目視データを表示させる処理を行う目視データ処理部である点で共通する。
　
　引用発明の「該カード搬送部の搬送機構に設置され」において、該カード搬送部の搬送機構は当然に非接触ＩＣカードの搬送経路に沿って設けられるものである。したがって、引用発明の「該カード搬送部の搬送機構に設置され」ることは、補正後の発明の「前記搬送経路に沿ってそれぞれ配置され」ることに相当する。また、引用発明の「搬送位置」は補正後の発明の「位置」に相当する。
　してみれば、引用発明の「該カード搬送部の搬送機構に設置され、該カード搬送部によって搬送される前記非接触ＩＣカードの搬送位置を検出するセンサ」と、補正後の発明の「前記搬送経路に沿ってそれぞれ配置され、前記搬送手段により搬送される前記非接触ＩＣカードの位置を検出する複数の位置検出用センサ」とは、搬送経路に沿って配置され、搬送部により搬送される非接触ＩＣカードの位置を検出する位置検出手段である点で共通する。
　また、引用発明の「該センサにより検出される前記非接触ＩＣカードの搬送位置に応じて搬送を制御する制御部と、を有し、該制御部によって、前記非接触ＩＣカードが前記非接触ＩＣカードリーダーライター部でデータの書込み及び該書込んだデータの読取りチェックが行われた後に前記サーマル印字部で記録が行われるように搬送が制御される構成とされ」ることと、補正後の発明の「該各位置検出用センサにより検出される前記非接触ＩＣカードの位置に応じて搬送方向を制御する搬送制御部と、を有し、該搬送制御部によって、前記非接触ＩＣカードが前記記憶データ処理手段で処理された後に前記目視データ処理手段で処理されるように搬送方向が制御される構成とされ」ることとは、前記位置検出手段により検出される非接触ＩＣカードの位置に応じて搬送を制御する搬送制御部と、を有し、該搬送制御部によって、前記非接触ＩＣカードが前記記憶データ処理部で処理された後に前記目視データ処理部で処理されるように搬送が制御される構成とされる点で共通する。
　
　引用発明のサーマル印字部での「記録」は、補正後の発明の目視データ処理手段による「目視データの表示処理」に相当する。また、引用発明の「排出口」と補正後の発明の「カードの挿入・返却口」とは、非接触ＩＣカードの排出口である点で共通する。
　したがって、引用発明の「前記サーマル印字部で記録が終了すると、前記非接触ＩＣカードリーダーライター部が書込んだデータの読取りチェックの結果良品と判定された前記非接触ＩＣカードを排出口に向けて搬送する構成」と、補正後の発明の「目視データ処理手段による目視データの表示処理の終了後、挿入された当該非接触ＩＣカードに対する記憶データ及び目視データの各処理が終了したことを、前記目視データ処理手段に対して前記記憶データ処理手段とは反対側に配置された前記位置検出用センサによる当該非接触ＩＣカードの位置検出結果に基づき判断し、当該非接触ＩＣカードをカード挿入・返却口に向けて、前記記憶データの処理を再度行うことなく搬送する構成」とは、目視データ処理手段による目視データの表示処理の終了後、非接触ＩＣカードを、該非接触ＩＣカードの排出口に向けて搬送する構成である点で共通する。
　
　そして、引用発明の「非接触ＩＣカード発行機」と補正後の発明の「非接触ＩＣカード処理装置」は、ともに、非接触ＩＣカードに対して、内部に記憶された記憶データの処理と目視データを表示させる処理とを行う、非接触ＩＣカードの処理装置である点で共通する。
　
　
　よって、補正後の発明と引用発明とは、以下の点で一致し、また、相違する。
　
（一致点）
　目視データを表示する表示部を備えた非接触ＩＣカードを処理する非接触ＩＣカードの処理装置であって、
　非接触ＩＣカードの供給手段から供給された前記非接触ＩＣカードを、搬送経路に沿って搬送する搬送部と、
　前記搬送経路上の非接触ＩＣカードに対して、該非接触ＩＣカードの内部に記憶された記憶データの処理を非接触で行う記憶データ処理部と、
　前記搬送経路上の非接触ＩＣカードに対して、該非接触ＩＣカードの表示部に、前記処理後の記憶データの内容に応じた目視データを表示させる処理を行う目視データ処理部と、を備え、
　前記記憶データ処理部及び前記目視データ処理部は、前記搬送経路に沿ってそれぞれ配置され、
　前記搬送部は、前記搬送経路に沿って配置され、前記搬送部により搬送される前記非接触ＩＣカードの位置を検出する位置検出手段と、該位置検出手段により検出される前記非接触ＩＣカードの位置に応じて搬送を制御する搬送制御部と、を有し、該搬送制御部によって、前記非接触ＩＣカードが前記記憶データ処理部で処理された後に前記目視データ処理部で処理されるように搬送が制御される構成とされ、
　かつ目視データ処理手段による目視データの表示処理の終了後、当該非接触ＩＣカードを非接触ＩＣカードの排出口に向けて搬送する構成とされたことを特徴とする非接触ＩＣカードの処理装置。
　
（相違点１）
　引用発明の非接触ＩＣカードリーダーライター部は「データの書込み及び該書込んだデータの読取り」したデータを「チェック」するが、当該「データの書込み及び該書込んだデータの読取り」後のデータを出力するものではないのに対して、補正後の発明の記憶データ処理手段は「その処理後の記憶データの内容を出力する」点。
　
（相違点２）
　引用発明のサーマル印字部が記録する可視データは、単に、「前記非接触ＩＣカードリーダーライター部が書込み、読取るデータに対応付けられた可視データ」であるのに対して、補正後の発明の目視データ処理手段が表示させるのは「前記記憶データ処理手段から出力される前記処理後の記憶データの内容に応じた目視データ」である点。
　
（相違点３）
　引用発明において非接触ＩＣカードは、「カードフィーダー部から供給され」、「排出口」から排出されるのに対して、補正後の発明において非接触ＩＣカードは、「カードの挿入・返却口から挿入され」、同じカードの挿入・返却口」から「返却」される点。
　
（相違点４）
　引用発明において、「非接触ＩＣカードの搬送位置を検出するセンサ」が複数設置されているかどうかは不明であるのに対して、補正後の発明は、「非接触ＩＣカードの位置を検出する複数の位置検出用センサ」が設置される点。
　
（相違点５）
　引用発明においては、制御部が「非接触ＩＣカードの搬送位置に応じて搬送を制御する」ことで、カード搬送部は「前記非接触ＩＣカードが前記非接触ＩＣカードリーダーライター部でデータの書込み及び該書込んだデータの読取りチェックが行われた後に前記サーマル印字部で記録が行われるように搬送が制御される構成」とされるのに対して、補正後の発明においては、搬送制御部が「非接触ＩＣカードの位置に応じて搬送方向を制御する」ことで、搬送手段は「前記非接触ＩＣカードが前記記憶データ処理手段で処理された後に前記目視データ処理手段で処理されるように搬送方向が制御される構成」とされる点。
　
（相違点６）
　引用発明は、サーマル印字部で記録が終了すると「前記非接触ＩＣカードリーダーライター部が書込んだデータの読取りチェックの結果良品と判定された前記非接触ＩＣカードを排出口に向けて搬送する」のに対して、補正後の発明は、目視データ処理手段による目視データの表示処理の終了後「挿入された当該非接触ＩＣカードに対する記憶データ及び目視データの各処理が終了したことを、前記目視データ処理手段に対して前記記憶データ処理手段とは反対側に配置された前記位置検出用センサによる当該非接触ＩＣカードの位置検出結果に基づき判断し、当該非接触ＩＣカードをカード挿入・返却口に向けて、前記記憶データの処理を再度行うことなく搬送する」点。
　
　
　４）判断
　以下、各相違点について検討する。
　
４−１）相違点１〜２について
　平成２１年５月１日付けでした当審よりの最後の拒絶理由通知に引用された特開平０６−０８７２８９号公報には、図面とともに次の事項が記載されている。
ア．「【０００２】 
 【従来の技術】…（中略）…ＩＣカード１はＩＣカード読取／書込装置に装填されて、必要な情報を接触式に又は非接触式に読取ったり書込んだりするようになっている。…（中略）…ＩＣカード１の所有者等は必要な情報（例えば有効期限、氏名）を目視で確認したい場合もある。ＩＣカード読取／書込装置に装填すれば必要な情報を表示することもできるが、ＩＣカード１を携帯しているときでも常に情報を目視で確認したい場合も多い。目視情報の表示としては、カード表面に必要な情報を印刷するのも一手法であるが、一旦印刷してしまうと、情報の書換えができず、不便で非効率であるという問題がある。また、
ＩＣカードと、内容を印刷したカードとを別々に発行する場合には、発行業務が別ラインになるため、カードのアンマッチングが発生する恐れがある
イ．「【００１０】図４は、この発明による磁気シート表示体付きＩＣカードの発行の様子を示しており、図１の如く製造されたカード１０をＩＣカードライター３０に装填し、ＩＣモジュール１１の
メモリに必要な情報を書込む
先ずＩＣカードリーダでＩＣモジュール１１内のメモリの情報を読取り、その読取情報の一部又は全部、あるいはその読取情報の一部又は全部に基づいて表示フォーマットの変換等の処理を行なった情報を、磁気シート印字装置に従って磁気ヘッド等の磁界発生手段を用いて磁気シート表示体２０に図３の如く磁気印字
ウ．「【００１２】 
 【発明の効果】以上のようにこの発明の磁気シート表示体付きICカードによれば…(中略)…カードが一枚化出来るため、
発行業務を１ラインで行なうことができ、ＩＣカードの内容と表示体の内容のアンマッチングが発生することはない
 　 
 　すなわち、接触式又は非接触式のＩＣカードにおいて、該ＩＣカード内のメモリに記憶された情報内容と該ＩＣカードの表面の表示部に印刷された内容とをマッチングさせるため、該ＩＣカード内のメモリへの情報の書込み・読取り、及び、表面の表示部への印刷の各業務を１ラインで行うとともに、該ＩＣカード内のメモリに対するデータの書込み処理の処理後の記憶データの内容をＩＣカードリーダが該ＩＣカードから読み取って出力し、該ＩＣカードの前記表示部に、前記出力される前記処理後の記憶データの内容に応じたデータを印刷させる処理を行うこと、は本願出願前に頒布された刊行物である前記特開平０６−０８７２８９号公報に記載され、公知技術である。 
 　
　これに対して、引用発明は、前記「２）引用発明」の「Ａ」に記載されるように、「ＩＣメモリに入力されたデータと感熱記録されたデータとの対応付けに人が関与する必要がなく自動で行われるため、対応付けの誤りの生じないカード発行機を提供すること」という、前記公知技術と同じ目的を有している。そして、引用発明は「感熱記録部分のデータ書換えとＩＣメモリのデータ書換えを同一機の連続動作で行えるように構成」することで前記目的を達成しようとしていることは、同「２）引用発明」の「Ａ」に記載されている。
　
　ところで、ＩＣメモリに入力されたデータと感熱記録されたデータとの対応付けの誤りの生じないという前記目的を、より確実に達成したいということは、当業者であれば当然に想起した事項であると認められる。しかし、引用発明が行う「書込んだデータの読取りチェック」は、同「２）引用発明」の「Ａ」に記載されるとおり、「誤ったデータを書き込む」という、非接触ＩＣカードリーダーライター部が行う処理をチェックするものであり、該「書込んだデータの読取り」したものと「サーマル印字部」が記録する「可視データ」とが対応しているかどうかをチェックするものではない。
　
　してみれば、引用発明において、「非接触ＩＣカードリーダーライター部」による「データの書込み及び該書込んだデータの読取りチェック」と「サーマル印字部」による「可視データを記録」を、同一非接触ＩＣカード発行機の連続動作で行うことに加えて、前記対応付けをより確実なものとするために、前記公知技術のように、「非接触ＩＣカードリーダーライター部」が「データの書込み及び該書込んだデータの読取り」したデータを出力させ、同じく前記公知技術のように、前記「サーマル印字部」が記録する「前記非接触ＩＣカードリーダーライター部が書込み、読取るデータに対応付けられた可視データ」を該出力させたデータの内容に応じた可視データとすることは、当業者が容易に想到し得たものと認められる。
　
　したがって、相違点１及び相違点２は格別のものではない。
　
４−２）相違点３〜６について
　４−２−１）当該分野の技術水準について
　先ず、ＩＣカードや磁気カード等のカード型情報記録媒体に対して、情報の記録処理を行うともに、該カードの表面に目視データを表示させる処理を行う、カード型情報記録媒体の処理装置における、本願出願時の技術水準について述べる。
　
　平成２１年５月１日付けでした当審よりの最後の拒絶理由通知に引用された特開平０６−０３６０９０号公報には、図面とともに次の事項が記載されている。
エ．「【０００１】 
 【産業上の利用分野】本発明は、例えば
自動改札で使用される定期券や乗車券等の自動化券類を発行する装置
表面側にデータを目視可能に記録する記録面を有し
ＩＣ等で構成しデータを目視不可能に記録する記録面を有する記録媒体
オ．「【００１１】１７は前記第１の記録面１１ａのデータを消去する消去手段としての消去部であり、該消去部１７は高温を発熱するヒータに類似した消去ヘッド１８を有する。
１９は印刷発行された自動化券が排出されるとともに、一旦自動化券類として発行済の記録媒体を挿入するとこれを取り込む挿入排出口である。
カ．「【００１３】以下、上記構成の本実施例の作用を説明する。まず、例えば、「東京・川崎」間の定期の効力を有する自動化券を保有していた利用者が、都合により「東京・新宿」間の定期の効力を有する自動化券に変更したいとする。この場合、利用者は、この変更に見合う料金を図示しない処理機あるいはオペレータに支払い、現在保有する「東京・川崎」間の定期の効力を有する
自動化券である記録媒体１１を挿入搬出口１９より挿入する。
記録媒体１１の裏面側の磁気ストライプデータを新しいデータに更新し
印字部１３の印字ヘッド１４にて、新しいデータ「東京・新宿」間を印字し、挿入排出口１９より利用者に返却する
　
　同様に、平成２１年５月１日付けでした当審よりの最後の拒絶理由通知に引用された特開平０７−１２１６４２号公報には、図面とともに次の事項が記載されている。
キ．「【００１６】図１において、リライトカードリーダライタの記録表示部に印字を行う際は、
挿入排出口１５ｃからリライトカードを挿入する
矢印Ｂ方向に搬送され、磁気ヘッド１６によって、
新しいデータの書き込み
が行われる
次にリライトカードは
サーマルヘッド１７によって記録表示部に印字がされる
印字終了後、リライトカードは、ローラ１５ａ、１５ｂにより矢印Ｂ´方向に搬送され、挿入排出口１５ｃから排出される
ク．図１には、矢印Ｂ方向につき、磁気ヘッド１６、サーマルヘッド１７の順番で設置されることが図示されている。
　したがって、前記キの記載内容を併せて解すれば、前記特開平０７−１２１６４２号公報には、挿入排出口１５ｃより挿入されたリライトカードは、矢印Ｂ方向に搬送されて磁気ヘッド１６で新しいデータが書き込まれ、サーマルヘッド１７で記録表示部に印字がなされ、印字終了後、搬送方向が逆転され、前記サーマルヘッド１７及び前記磁気ヘッド１６は単に通過して、そのまま、挿入排出口１５ｃまで搬送されて排出されることが記載されている。
　
　更に、同様に、平成２１年５月１日付けでした当審よりの最後の拒絶理由通知に引用された特開平１０−３４０３２３号公報には、図面とともに次の事項が記載されている。
ケ．「【００１８】図５は、この発明のカード処理機の制御部の処理手順を示すフローチャートである。カード処理機１の制御部４１を構成するＣＰＵ４２は、電源投入後においてカード挿入口２に対するプリペイドカード３１の挿入を待機している（ｓ１）。カード
挿入口２にプリペイドカード３１が挿入され、センサ４６がオンすると、ＣＰＵ４２はモータドライバ４９を介してＤＣモータ２１を正転し、プリペイドカード３１を磁気ヘッド２０に搬送する
【００１９】次いで、ＣＰＵ４２は、ＤＣモータ２１を逆転し、プリペイドカード３１をイニシャル位置まで逆方向に搬送する（ｓ６，ｓ７）。このイニシャル位置は、プリペイドカード３１の磁気記録部３３における基準位置が磁気ヘッド３１に対向する位置である。ＣＰＵ４２は、
プリペイドカード３１をイニシャル位置に移動させた後、ＤＣモータ２１を正転し（ｓ８）、磁気ヘッド２０を介して磁気データを書き込む
磁気データの書込処理を終了すると、ＤＣモータを逆転してプリペイドカード３１を再度イニシャル位置に移動させ
ＤＣモータ２１を正転して印字データの書込処理を実行する
印字データの書込処理を終了するとＤＣモータ２１を逆転してプリペイドカード３１を排出する
　
　エ〜ケから、ＩＣカードや磁気カード等のカード型情報記録媒体に対して、情報の記録処理を行うともに、該カードの表面に目視データを表示させる処理を行う、カード型情報記録媒体の処理装置において、 
(ａ)前記カードを挿入搬出口から挿入し、同じ挿入搬出口から返却し、
(ｂ)前記カードに情報を記録する処理が行われた後に、前記カードの表面に目視データを表示させる処理が行われるように、前記カードの搬送方向を制御し、
(ｃ)前記カードに情報を記録する処理が終了し、次に、前記カードの表面に目視データを表示させる処理が終了すると、前記カードを前記挿入搬出口に向けて搬送するとともに、その前記挿入搬出口に向けての搬送の際、前記カードが情報の記録処理部を通過しても更なる情報の記録処理は行わない、
ことはエ〜ケの各記載にあるように、周知慣用の技術である。
　
　
　ところで、本願出願前に頒布された刊行物である特開平０４−１８６４９２号公報には、図面とともに次の事項が記載されている。
コ．「本発明はＩＣカードの発行処理装置、特に、各個人ごとに異なるデータをもった多数の
ＩＣカードの発行処理を行う装置に関する
サ．「第４図は、発行処理ユニット１０の内部構造を示す側断面図である。
挿入口９１から挿入されたＩＣカード２００は
矢印の方向に搬送され
挿入するＩＣカード２００は、未発行のＩＣカード
エンボス装置１５の上を通過する際に、エンボス加工が行われ、エンボス文字２２０が刻印される。
ＩＣエンコーダ１６の直下を通過する際に、入出力端子２３０を介して、内部のＥＥＰＲＯＭへ所定のデータが書き込まれる。
発行処理は完了し、このＩＣカード２００は挿入口９１から排出される
　
　同様に、本願出願前に頒布された刊行物である特開昭６３−１５７２９４号公報には、図面とともに次の事項が記載されている。
シ．「本発明は、例えばテレホンカード等の如くある
特定の取引用媒体として用いられる簡易発行型のカードを、発行
ス．「第１図及び第２図に示す本発明のカード情報処理装置は、簡易発行型カードＣＯの基となる
原カードＣの挿入口２Ａ及び排出口２Ｂを設けた枠体１
原カードＣに対し所定の印字方式により後述する所定の情報を印刷する印字手段５
原カードＣに対し後述する所定の情報を磁気情報の形で記録する磁気情報記録手段６
セ．「更に、本実施例装置のカード駆動機構部はカードを挿入口より取込み背面側の排出口より排出する場合について説明したが、
挿入口と排出口とを兼用させカードを枠体内で往復動させるように構成
　
　コ〜セから、ＩＣカードや磁気カード等のカード型情報記録媒体に対して、情報の記録処理を行うともに、該カードの表面に目視データを表示させる処理を行う、カード型情報記録媒体の処理装置をカードの発行装置として用いるとともに、カードを挿入搬出口から挿入し、前記各処理が終わったカードを同じ挿入搬出口から返却・発行することは、常套手段である。
　また、前記エ〜カから、ＩＣカードや磁気カード等のカード型情報記録媒体に対して、情報の記録処理を行うともに、該カードの表面に目視データを表示させる処理を行う、カード型情報記録媒体の発行装置に、カードを挿入搬出口から挿入し、前記各処理が終わったカードを同じ挿入搬出口から返却する機能を付加することも、周知慣用の技術である。
　
　
　また、本願出願前に頒布された刊行物である特開平０１−２８８４９２号公報には、図面とともに次の事項が記載されている。
ソ．「第２図は、第１図に示す装置の内部構成を示すものである。すなわち、装置本体２の内部には、前記
カード取扱口３
搬送路５にそれぞれ臨ませて配置した
第１乃至第４のセンサＳ
１
乃至Ｓ
４
からなる領域判別手段８
印字手段９
磁気カード０１等に対する取引情報（詳細は後述する）の読取り、書込みを行う読取書込手段１２
　前記領域判別手段８の第１乃至第４のセンサＳ１乃至Ｓ４は、いずれも搬送路５を通過する光路を形成するように配置された発光素子１３ａ，受光素子１３ｂを具備すると共に、搬送路５に沿って所定の間隔をもって配置されている。」（第２頁下右欄第１９行〜第３頁上左欄第１４行）　
タ．「
この装置１のカード取扱口３に磁気カードＣ
１
が挿入されてくると
第１のセンサＳ
１
が磁気力ードＣ
１
を検出し検出信号（位置信号）をＣＰＵ２３に送る。
　やがて、第３のセンサＳ３がオフになった後、第４のセンサＳ４による読取動作が終了する段階（ステップ８）で、第１の磁気ヘッド２０ａによる読取動作も終了し、このとき、ＣＰＵ２３の制御のもとで搬送モータは減速から停止の状態になり（ステップ９）、さらに、逆転動作を開始して磁気カードＣ１をＸ２方向に逆搬送する（ステップ１０）。
　磁気カードＣ１のＸ２方向への逆搬送に伴って第３，第２のセンサＳ３，Ｓ２が順に再度オンとなり（ステップ１１，１２）、さらに、第４のセンサＳ４はオフとなる（ステップ１３）。やがて、第３のセンサＳ３がオフとなると（ステップ１４）、搬送モータは減速状態から停止に至った後、今度は再び正転し加速状態となって、これにより、磁気カードＣ１は再度Ｘ１方向へ搬送される（ステップ１５）。そして、磁気カードＣ１のＸ１方向への搬送に伴って第３のセンサＳ３がオンとなり（ステップ１６）、
第３のセンサＳ
３
の検出信号を受けたＣＰＵ２３は、第１の磁気ヘッド２０ａに対し書込制御を行う。
この書込動作は、磁気カードＣ
１
のＸ
１
方向への搬送に伴って第４のセンサＳ
４
がオン、第２のセンサＳ
２
がオフ、第３のセンサＳ
３
がオフになるステップ１８．ステップ１９にわたって行われる。
　やがて、
第１の磁気ヘッド２０ａによる書込動作が終了する段階になると（ステップ２０）、搬送モータが減速から停止状態になり、さらに、再度逆転し加速する状態になる
　そして、ステップ２２からステップ２６にわたって、第１の磁気ヘッド２０ａによる確認読取りが実行される。この間、第３のセンサＳ３がオン→第２のセンサＳ２がオン→第４のセンサＳ４がオフという動作が順次実行される。そして、ステップ２６で、第３のセンサＳ３がオフになると、第１の磁気ヘッド２０ａによる確認読取動作が終了し、このとき、搬送モータは減速状態（ステップ２６，２７）になる。
　このとき、磁気カードＣ１は、搬送路５における分岐搬送ローラ１７の上側外周面に摺接する状態になっており、この状態で、第２のセンサＳ２がオフになると（ステップ２８）、上述したステップ５における
第４のセンサＳ
４
による判別結果に基づいて、印字手段９が今回の取引に応じた視覚履歴情報を視覚履歴記録領域Ｃａの空欄に付する動作を実行する
　この場合に、取引情報のうちカード種別を示す種別情報が予め読取られているので、ＣＰＵ２３は穿孔手段１０を動作させることはない。
　磁気カードＣ１がＸ２方向にさらに逆搬送され第１のセンサＳ１がオンになると（ステップ３０，３１）、搬送モータが減速しやがて停止すると共に、シャッタ部７が開き、
磁気カードＣ
１
はカード取扱口３へ搬出され
　
　
　同様に、本願出願前に頒布された刊行物である特開平１０−３２４０１１号公報には、図面とともに次の事項が記載されている。
チ．「【００１８】以上説示のリライトカードリーダーライタＡを参照して、本発明に係る請求項１の印字方法につき以下詳記すると、従来の方法と同様にして、
リライトカードリーダーライタＡの挿入口１ａより、ロイコ型リライトカードＣを挿入する
【００１９】上記の磁気データ処理を行う場合には、既知の如く前記の
磁気データ処理部２における位置検知センサＳ１、Ｓ２により、ロイコ型リライトカードＣの位置を検知し、これにより第１駆動モータ２ａを制御して適所で当該ロイコ型リライトカードＣを停止そして発進させることで、磁気ヘッド２ｄにより行われる。
ツ．「【００２４】上記強制冷却後にあっては、従来技術と同じく図１の場合には前掲カードホーム位置Ｃ４にある
ロイコ型リライトカードＣを正転駆動させ右方へ搬送し
位置検知センサＣ４をトリガとして、カード位置Ｃ５でロイコ型リライトカードＣを停止させ、ここでサーマル印字部４の印字用サーマルヘッド４ｆが動作され、これにより指定印字情報を、既知の通り印字部分に印字熱処理により印字する。
カード位置Ｃ７に達することにより印字動作が完了し、これを位置検知センサＳ５が検知して
逆転搬送されて挿入口１ａから搬送され、顧客はこれを受領し得ることになる。
　
　ソ〜ツから、ＩＣカードや磁気カード等のカード型情報記録媒体に対して、情報の記録処理を行うともに、該カードの表面に目視データを表示させる処理を行う、カード型情報記録媒体の処理装置において、 
　該処理装置内でカードを搬送する搬送手段に、該カードの搬送経路に沿ってそれぞれ配置され、搬送されるカードの位置を検出する複数のセンサを設けて、前記目視データを表示させる処理が終了したこと(前記ツ)、ないし、前記情報の記録処理が終了したこと(前記タ)を、当該処理を実行する手段の搬送方向に対して下流側に設けられたセンサの検出結果により判定し、該判定結果に基づいて、該カードに対する次の操作として前記搬送手段の搬送方向を制御する、
ことは、周知技術である。
　
　
　４−２−２）検討
　引用文献には、前記「２）引用発明」の「Ｃ」の項に、
「サーマル印字部の所定位置に到達したことを搬送機構に設置されたセンサー（図示せず）が検知すると、移動速度は２５０ｍｍ／秒から１６ｍｍ／秒に減速され、サーマル印字部１０のサーマルヘッドがカードに密着され、搬送されるカードに所定の可視データが記録される。それと同時に、非接触ＩＣカードリーダーライター部９のアンテナとカードに内蔵されたアンテナとの間で電磁波が交信され、所定のデータの書込みが行われ、さらに書込んだデータの読取りチェックが行われる。 　 
 【００１８】サーマルヘッドによる印字が終了すると、移動速度は１６ｍｍ／秒から２５０ｍｍ／秒に加速され、カードリジェクト部６にカードが搬送される。」
とあるように、搬送機構に設置され、サーマル印字部の所定位置に到達したことを検出するセンサーにより、搬送機構による搬送速度を制御することが記載されている。
　引用文献には、他のセンサーについての記載はないが、同「Ｄ」の項に、
「カードの搬送位置をセンサにて検出してカードの搬送を制御することも可能である。その場合は、カードが所定位置に搬送されたことをセンサが検出するとセンサの信号が制御部１５に送られ、それを受けた制御部１５によってモータの駆動がＯＦＦとなりカード搬送が停止される。そして、次の動作へ移る。このような動作はシーケンス制御として周知である」
と記載されている。
　前記「シーケンス制御」とは、一般的には「制御対象に加える操作の順序（シーケンス）を、制御対象の状態や外部からの信号に基づいて決定し、制御する方式。リレー回路やコンピューターが用いられる。[株式会社岩波書店 広辞苑第六版]」を意味する。
　ここで、「制御対象に加える操作の順序」の制御、すなわち、制御対象に加える複数の操作の制御を、一つのセンサによる「制御対象の状態や外部からの信号」に基づいて行うことは、制御対象であるカードが搬送されて移動することから不可能であることは明らかである。
　してみれば、引用文献には、
・カードの搬送位置を検出するセンサを複数設けること、
・「カードフィーダー部から供給され」、「排出口から排出」されるまでの、非接触ＩＣカードの搬送操作の順序を、前記複数のセンサからの信号に基づいて制御部１５が制御すること、
が示唆されていると認められる。
　
　ところで、引用発明の「非接触ＩＣカード発行機」は、「カードフィーダー部から供給された前記非接触ＩＣカードを搬送経路に沿って搬送」し、更に「排出口に向けて搬送」して「排出」するものであり、ＩＣカードの挿入と排出を同じ所から行うものでも、搬送経路上で搬送方向を制御するものでもない。
　しかしながら、前述のとおり、ＩＣカードや磁気カード等のカード型情報記録媒体に対して、情報の記録処理を行うともに、該カードの表面に目視データを表示させる処理を行うカード発行装置において、カードを挿入搬出口から挿入し、前記各処理が終わったカードを同じ挿入搬出口から返却する機構を設けることが、常套手段であり、周知慣用の技術であることを考慮すれば、引用発明に、前記の、
(ａ)前記カードを挿入搬出口から挿入し、同じ挿入搬出口から返却し、
(ｂ)前記カードに情報を記録する処理が行われた後に、前記カードの表面に目視データを表示させる処理が行われるように、前記カードの搬送方向を制御し、
(ｃ)前記カードに情報を記録する処理が終了し、次に、前記カードの表面に目視データを表示させる処理が終了すると、前記カードを前記挿入搬出口に向けて搬送するとともに、その前記挿入搬出口に向けての搬送の際、前記カードが情報の記録処理部を通過しても更なる情報の記録処理は行わない、
という、周知慣用の技術を適用することは、当業者が容易に想到し得たものと認められる。
　
　このとき、引用文献には、前述のとおり、
・カードの搬送位置を検出するセンサを複数設けること、
・「カードフィーダー部から供給され」、「排出口から排出」されるまでの、非接触ＩＣカードの搬送操作の順序を、前記複数のセンサからの信号に基づいて制御部１５が制御すること、
が示唆されているから、引用発明の「制御部」による「搬送」の「制御」は、当然、「カード搬送部の搬送機構上に設置され」た前記複数のセンサによって検出された「非接触ＩＣカードの搬送位置に応じて」、「制御部」が搬送と共に搬送方向の搬送操作の順序を制御することでなされるものである。
　そして、前述のとおり、カード型情報記録媒体の前記処理装置において、カードの搬送経路に沿って配置され、搬送されるカードの位置を検出する複数のセンサを設け、情報の記録処理が終了したことや、目視データを表示させる処理が終了したことを、当該処理を実行する手段の搬送方向に対して下流側に設けられたセンサの検出結果により判定し、該判定結果に基づいて、カードに対する次の操作として前記搬送手段の搬送方向を制御することが周知技術であることを勘案すれば、前記複数のセンサからの信号に基づいて制御部１５が行う、前記非接触ＩＣカードの搬送操作の順序の制御の一つとして、サーマル印字部での記録処理が終了したことを、該サーマル印字部の搬送方向に対して下流側に設けられたセンサの検出結果により判定し、該判定結果に基づいて、カードに対する次の操作として搬送手段の搬送方向を制御することは、当業者であれば当然に為し得た事項であると認められる。
　なお、引用発明は、「データの書込み及び該書込んだデータの読取りチェックが行われた後に前記サーマル印字部で記録が行われる」のであるから、サーマル印字部での記録処理が終了した時点で、当然に、非接触ＩＣカードリーダーライター部でのデータの書込み及び該書込んだデータの読取りの処理は終了しているものであり、また、該非接触ＩＣカードリーダーライター部は該サーマル印字部の搬送方向に対して上流側にあるから、前記サーマル印字部の搬送方向に対して下流側に設けられたセンサは、該サーマル印字部に対して該非接触ＩＣカードリーダーライター部とは反対側に配置されているものである。
　
　以上から、引用発明において、
　非接触ＩＣカードを、カードの挿入・返却口から挿入させ、同じカードの挿入・返却口から返却させる構成とし、
　カード搬送部の搬送機構に、非接触ＩＣカードの搬送位置を検出する複数のセンサを設け、　
　制御部に、前記各センサが検出した非接触ＩＣカードの搬送位置に応じて、カード搬送部による搬送方向を制御させることで、非接触ＩＣカードリーダーライター部でデータの書込み及び該書込んだデータの読取りチェックが行われた後にサーマル印字部で記録が行われるように、非接触ＩＣカードの搬送方向が制御される構成とさせ、
　サーマル印字部での記録処理の終了後に、該サーマル印字部による記録処理が終了したことを前記サーマル印字部に対して前記非接触ＩＣカードリーダーライター部とは反対側に配置された前記センサによる当該非接触ＩＣカードの搬送位置の検出結果に基づき判断し、その後、非接触ＩＣカードリーダーライター部が書込んだデータの読取りチェックの結果良品と判定された前記非接触ＩＣカードをカード挿入・返却口に向けて、前記非接触ＩＣカードリーダーライター部でのデータの書込み及び読出しを再度行うことなく搬送すること、
は当業者が容易に想到し得たものと認められる。
　
　よって、相違点３〜６は格別なものではない。
　
　また、補正後の発明の効果も、引用発明、前記公知技術、前記周知慣用の技術、前記常套手段及び前記周知技術から当業者が予測し得る範囲のものである。
　したがって、補正後の発明は、引用発明及び前記公知技術等に基づいて当業者が容易に発明をすることができたものであるから、特許法第２９条第２項に規定により、特許出願の際独立して特許を受けることができるものではない。
　
　５）小括
　以上のとおりであるので、補正後の発明は特許出願の際独立して特許を受けることができるものではないから、本件補正は、特許法第１７条の２第５項の規定により準用する特許法第１２６条第５項の規定に適合していない。
　
３．むすび
　したがって、本件補正は、平成１４年法律第２４号改正附則第２条第１項によりなお従前の例によるとされる同法による改正前の特許法第１７条の２第４項の規定に違反するので、同法第１５９条第１項において読み替えて準用する同法第５３条第１項の規定により却下すべきものである。 
　
　そして、仮に、本件補正が前記特許法第１７条の２第４項第２号の規定に適合するとしても、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。 
　
　
第４．本願発明について
１．本願発明
　平成２１年７月３日付けの手続補正は上記のとおり却下されたので、本願の請求項１に係る発明（以下、「本願発明」という）は、平成１９年４月２３日付けの手続補正書により補正された明細書及び図面の記載からみて、前記「第３．平成２１年７月３日付けの手続補正についての補正却下の決定」の項中の前記「１．本件補正」の項中に記載された、補正前の請求項１に記載されたとおりのものと認める。
　
　
２．引用発明
　引用発明は、前記「第３．平成２１年７月３日付けの手続補正についての補正却下の決定」の項中の前記「２．補正の適否」の項中の前記「（２）特許法第１７条の２第５項の規定に適合するかについての検討」の項における、「２）引用発明」の項で認定したとおりである。
　
３．対比・判断
　本願発明は、上記補正後の発明における、「前記搬送経路に沿ってそれぞれ配置され、前記搬送手段により搬送される前記非接触ＩＣカードの位置を検出する複数の位置検出用センサ」を備え、前記非接触ＩＣカードの位置を「該各位置検出用センサにより検出される」との構成、及び、挿入された当該非接触ＩＣカードに対する記憶データ及び目視データの各処理が終了したことを「前記目視データ処理手段に対して前記記憶データ処理手段とは反対側に配置された前記位置検出用センサによる当該非接触ＩＣカードの位置検出結果に基づき」判断との構成を、当該補正後の発明から省いたものである。
　
　そうすると、本願発明の構成に前記各構成を付加した補正後の発明が、前記「第３．平成２１年７月３日付けの手続補正についての補正却下の決定」の項中の前記「２．補正の適否」の項中の前記「（２）特許法第１７条の２第５項の規定に適合するかについての検討」の項で検討したとおり、引用発明及び公知技術等に基づいて容易に発明できたものであるから、本願発明も同様の理由により、容易に発明できたものである。
　
４．むすび
　以上のとおり、本願発明は、引用発明及び公知技術等に基づいて当業者が容易に発明をすることができたものと認められるから、特許法第２９条第２項の規定により特許を受けることができない。
　
　よって、結論のとおり審決する。